【手続補正書】
【提出日】平成21年4月17日(2009.4.17)
【手続補正１】
【補正対象書類名】特許請求の範囲
【補正対象項目名】請求項１
【補正方法】変更
【補正の内容】
【請求項１】
（１）アーム部、
（２）前記アーム部の一方の端部に連結する取付用クリップ部、及び
（３）前記アーム部のもう一方の反対側端部に設けた保持部に着脱自在に固定される遮光部を含む、日除け具であって、前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、前記日除け具。
【手続補正２】
【補正対象書類名】特許請求の範囲
【補正対象項目名】請求項７
【補正方法】変更
【補正の内容】
【請求項７】
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、帯状被挟持体用のクリップ具。
【手続補正３】
【補正対象書類名】特許請求の範囲
【補正対象項目名】請求項１０
【補正方法】変更
【補正の内容】
【請求項１０】
（１）アーム部、
（２）前記アーム部の一方の端部に連結する取付用クリップ部、及び
（３）前記アーム部のもう一方の反対側端部に設けた保持部
を含む、保持具であって、
前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、前記保持具。
【手続補正４】
【補正対象書類名】明細書
【補正対象項目名】０００７
【補正方法】変更
【補正の内容】
【０００７】
従って、本発明は、
（１）アーム部、
（２）前記アーム部の一方の端部に連結する取付用クリップ部、及び
（３）前記アーム部のもう一方の反対側端部に設けた保持部に着脱自在に固定される遮光部
を含む、日除け具であって、前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、前記日除け具に関する。
【手続補正５】
【補正対象書類名】明細書
【補正対象項目名】００１０
【補正方法】変更
【補正の内容】
【００１０】
また、本発明は、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、帯状被挟持体用のクリップ具にも関する。
本発明による前記クリップ具の好ましい態様においては、第１挟止部の内側表面、及び／又は第２挟止部の内側表面に係止補助用突出部を有する。
【手続補正６】
【補正対象書類名】明細書
【補正対象項目名】００１２
【補正方法】変更
【補正の内容】
【００１２】
更に、本発明は、
（１）アーム部、
（２）前記アーム部の一方の端部に連結する取付用クリップ部、及び
（３）前記アーム部のもう一方の反対側端部に設けた保持部
を含む、保持具であって、
前記取付用クリップ部が、
（ａ）中央に回転軸部を有する連結部、
（ｂ）前記連結部の一方の端部に屈曲して連結固定され、屈曲方向に延びる第１の挟止部、
（ｃ）前記連結部のもう一方の反対側端部に屈曲して連結固定され、屈曲方向に延びる第２の挟止部、
（ｄ）前記第１挟止部と前記連結部との屈曲連結部から、前記第１挟止部とは反対方向に延びる第１の押圧部、
（ｅ）前記第２挟止部と前記連結部との屈曲連結部から、前記第２挟止部とは反対方向に延びる第２の押圧部、
（ｆ）非挟持状態では、前記第１挟止部における前記屈曲連結部側とは反対側の端部と、前記第２挟止部における前記屈曲連結部側とは反対側の端部とが相互に接触する閉止端部となり、前記第１押圧部における前記屈曲連結部側とは反対側の端部と、前記第２押圧部における前記屈曲連結部側とは反対側の端部とが相互に最大距離で離間する離間端部となる方向に付勢する付勢手段、及び
（ｇ）前記第１挟止部の内側表面に設けられ、前記連結部と前記第２挟止部との屈曲連結部に一方の端縁部が係止される帯状被挟持体のもう一方の端縁部を係止可能に前記第１挟止部の内側方向に突出する壁面を有する係止用突起部
を含むことを特徴とする、前記保持具にも関する。
本発明による保持具の好ましい態様においては、前記取付用クリップ部が、第１挟止部の内側表面、及び／又は第２挟止部の内側表面に係止補助用突出部を有する。
【手続補正７】
【補正対象書類名】明細書
【補正対象項目名】００１７
【補正方法】変更
【補正の内容】
【００１７】
前記付勢手段５４は、例えばトーションバネであり、図２５に示すように、非挟持状態において、前記第１挟板５１の先端部５１Ａと前記第２挟板５２の先端部５２Ａとが相互に接触する閉止端部とし、前記第１挟板５１の反対側先端部５１Ｂと前記第２挟板５２の反対側先端部５２Ｂとを相互に最大距離で離間する離間端部となる方向に付勢している。
【手続補正８】
【補正対象書類名】明細書
【補正対象項目名】００２６
【補正方法】変更
【補正の内容】
【００２６】
前記付勢手段１４は、例えばトーションバネであり、図１に示すように、非挟持状態（すなわち、帯状被挟持体を挟持固定していない状態）において、一方の端部を閉止端部とし、反対側の端部を離間端部となる方向に付勢している。具体的には、前記第１挟板１１の第１挟止部１１ａ側の先端部１１Ａと前記第２挟板１２の第２挟止部１２ａ側の先端部１２Ａとが相互に接触する閉止端部とし、前記第１挟板１１の第１押圧部１１ｂ側の先端部１１Ｂと前記第２挟板１２の第２押圧部１２ｂ側の先端部１２Ｂとを相互に最大距離で離間する離間端部となる方向に付勢している。
【手続補正９】
【補正対象書類名】明細書
【補正対象項目名】００５８
【補正方法】変更
【補正の内容】
【００５８】
あるいは、取付用クリップ部１０をその離間端部領域でアーム部２と連結させることもできる。特に、前記第１挟板１１の第１押圧部１１ｂの先端部１１Ｂに、前記第１挟板１１の長さ方向に外側に延長させてアーム部２を連結させた態様の本発明の日除け具３０を図１８〜図２１に示す。図１８は、この態様の日除け具３０の斜視図であり、図１９は、その正面図であり、図２０は、その側面図であり、そして図２１は、その日除け具３０をベビーカー８０の幌９０の先端部に取り付けた状態を示す斜視図である。この態様では、アーム部２の長さを短くすることができるので、製造コストを抑制することができる。
【手続補正１０】
【補正対象書類名】明細書
【補正対象項目名】００６１
【補正方法】変更
【補正の内容】
【００６１】
本発明による日除け具は、２つを一組にして、１つのベビーカーに取付けることができる。例えば、図３７及び図３８に示すように、ベビーカー８０の幌９０の周縁部のフレーム９２に、第１の日除け具３１ａ及び第２の日除け具３１ｂを根元止めクリップ１０によって固定する。そして、リング状フレーム４１の部分又は遮光スクリーン４２の部分で、第１の日除け具３１ａ及び第２の日除け具３１ｂを連結させることが好ましい。リング状フレーム４１の部分又は遮光スクリーン４２の部分で２つの日除け具を連結させる方法としては、ボタンで連結させる方法や、紐で結びつける方法があるが、面ファスナーを用いることが好ましい。面ファスナーはリング状フレーム４１及び／又は遮光スクリーン４２に取付けることができ、面ファスナーの取付箇所の数も特に限定されないが、第１の日除け具３１ａ及び第２の日除け具３１ｂのそれぞれのリング状フレーム４１の１箇所〜数箇所に取付けることができる。
【手続補正１１】
【補正対象書類名】明細書
【補正対象項目名】００６７
【補正方法】変更
【補正の内容】
【００６７】
また、第１連結用面ファスナー４５ａの帯状・面ファスナー部４４ａは、一方の端部において、前記巻付・面ファスナー部４３ａの一方の固定末端４３ａ−１に隣接ないし近接して遮光スクリーン４２Ａの裏側表面４２ｂに、例えば、縫製により固定されており、その固定端部から、遮光スクリーン４２Ａの中心部の方向に延びており、その先端のもう一方の端部は自由端部である。同様に、第２連結用面ファスナー４５ｄの帯状・面ファスナー部４４ｄは、一方の端部において、前記巻付・面ファスナー部４３ｄの固定末端４３ｄ−１に隣接ないし近接して遮光スクリーン４２Ｂの裏側表面４２ｂに、例えば、縫製により固定されており、その固定端部から、遮光スクリーン４２Ｂの中心部の方向に延びており、もう一方の端部は自由端部である。